(57)【特許請求の範囲】
【請求項１】
細長い直方体状を呈し、路面に敷設されるとき露出する上面に複数個の散水ノズルが埋め込まれ、内部に設けられている通水管から供給される水が前記散水ノズルから散水されて前記路面上の雪を融雪するようになっている消雪用ブロックの、該ブロック製造用の鉄筋かごであって、
鉄筋かごは、底部と一対の壁部とから略直方体状を呈するようにかつ上部が開口するように形成されたかご体と、平板状に形成された網体とからなり、前記かご体に前記散水ノズルを備えた前記通水管を入れ、前記かご体の開口部を前記網体によって閉鎖し、前記かご体と前記網体とを溶接により固着し、あるいは結束線によって結束することによって一体化し、そしてコンクリートを打設すると消雪用ブロックが製造されるようになっており、
前記かご体は、直線状の複数本の棒状鉄筋と所定形状に折り曲げられた複数本の第１の鉄筋と同様に所定形状に折り曲げられた複数本の第２の鉄筋とからなり、前記棒状鉄筋が並行に配置され、そして前記棒状鉄筋に沿って所定の間隔を空けて前記第１、２の鉄筋が配置され、溶接によって前記棒状鉄筋に固着されるようにして形成されており、
前記第１、２の鉄筋は、少なくとも３箇所において折り曲げられ、それによって互いに接続されている第１〜４の直線部分を備え、前記第１の直線部分は前記かご体の前記開口部の一部に、前記第２の直線部分は一方の前記壁部に、前記第３の直線部分は前記底部に、前記第４の直線部分は他方の前記壁部にそれぞれ対応しており、
前記第２の鉄筋は前記第２の直線部分が前記第１の鉄筋の前記第２の直線部分より、鉄筋の略直径分だけ短くなっており、それによって前記かご体を長手方向に視たときに前記第１の鉄筋の前記第１の直線部分と前記第２の鉄筋の前記第１の直線部分との間に隙間が形成され、前記網体を構成している一本の鉄筋が前記隙間に入れられるようになっていることを特徴とする、消雪用ブロック製造用の鉄筋かご。
【請求項２】
請求項１に記載の鉄筋かごにおいて、前記第１、２の鉄筋は４箇所において折り曲げられ、それによって互いに接続されている前記第１〜４の直線部分と第５の直線部分とを備え、前記第５の直線部分は前記かご体の前記開口部の一部に対応しており、前記かご体において、前記第１、２の鉄筋を前記第４の直線部分と前記第５の直線部分の接続点において固着している棒状鉄筋を備えていることを特徴とする消雪用ブロック製造用の鉄筋かご。
【発明の詳細な説明】
【技術分野】
【０００１】
本発明は、路面に敷設され、路面に積もった雪を散水によって融雪する消雪用ブロックの、該ブロック製造用の鉄筋かごに関するものであり、より詳しくは、細長い直方体状を呈し、路面に敷設されるとき露出する上面に複数個の散水ノズルが埋め込まれ、内部に設けられている通水管から供給される水が散水ノズルから散水されるようになっている消雪用ブロックの、製造用の鉄筋かごに関するものである。
【背景技術】
【０００２】
豪雪地帯においては、散水ノズルを備えた消雪用ブロックが路面に埋設され、積雪時に散水ノズルから地下水等が散水されて路面の雪が融雪されるようになっている。消雪用ブロックは、特許文献１にも提案されているように、色々な文献において提案されているが、例えば図５のように構成されている。消雪用ブロック５０は、正確には断面形状が台形状を呈しているが、概略的には細長い略直方体状を呈するブロックからなる。消雪用ブロック５０の２辺の短辺は３０〜４０ｃｍ、長辺の長さは例えば５〜１０ｍのようになっている。そして、図５において上面５１が、該消雪用ブロック５０が路面に敷設されたときに露出する面になっており、複数個の散水ノズル５２、５２、…が埋め込まれている。また消雪用ブロック５０には、内部に長手方向に延びる通水管５４が設けられており、この通水管５４から分岐した管の先端に散水ノズル５２、５２、…が接続されている。従って消雪用ブロック５０が路面に敷設され、通水管５４に所定の水圧で地下水等が供給されると、散水ノズル５２、５２、…のそれぞれから散水されて路面に積もった雪が融けるようになっている。
【０００３】
このような消雪用ブロック５０は、鉄筋コンクリートから形成され、内部には消雪用ブロック５０を補強する鉄筋かご、あるいは通水管５４を保護する保護鉄筋が設けられている。鉄筋かご５５は、図６の（ア）に示されているように、略Ｕ字溝状を呈するかご体５６と、平板状を呈する網体５７とから構成されている。かご体５６は、略コの字型を呈するように折り曲げられた複数本のコの字鉄筋５９、５９、…と、直線状の棒状鉄筋６０とから溶接によって形成されており、上部が開口している。一方、網体５７は、全て真っ直ぐな鉄筋６２、６３、…から溶接によって網状に形成されている。このようなかご体５６と網体５７とから、消雪用ブロック５０は次のように製造される。かご体５６を開口部が上を向くように設置する。この開口部から、散水ノズル５２、５２、…が設けられている通水管５４を散水ノズル５２、５２、…が下向きになるように入れる。そしてかご体５６の開口部を閉鎖するように網体５７を設ける。図６の（イ）には、この状態を長手方向から見た様子が示されている。符号６４、６４で示されている部分を溶接によって固着すると、かご体５６と網体５７が一体化して鉄筋かご５５が形成される。このような鉄筋かご５５は通水管５４を囲って保護しているので保護鉄筋ということもできる。これを、図示されていない型枠内に入れ、コンクリートを打設し、固化を待って型枠から取り出すと消雪用ブロック５０が得られる。
【先行技術文献】
【特許文献】
【０００４】
【特許文献１】特開平１０−３１１０１３号公報
【特許文献２】特許第５１１６０００号公報
【０００５】
特許文献２は本出願人の出願に係る特許文献であるが、この文献にも消雪用ブロック用の鉄筋かごが記載されている。特許文献２に記載の鉄筋かご７０は、図７の（ア）に示されているように、一方の面が開口した略Ｕ字溝状を呈するかご体７１と、平板状の網体７２とから構成されている。そして図７の（イ）に示されているように、かご体７１にその開口部から散水ノズル７４を備えた通水管７５を入れ、そして網体７２によって開口部を閉鎖し、かご体７１と網体７２とを溶接により固着する。そしてコンクリートを打設すると消雪用ブロックが製造されるようになっている。ところで特許文献２に御記載の鉄筋かご７０においては、かご体７１は、略コの字状を呈する第１、２の鉄筋７７、７８、…と、直線状の棒状鉄筋７９、７９、…とから構成されている。第１の鉄筋７７、７７、…は１本の鉄筋から２箇所が折り曲げられて略コの字形に形成され、第２の鉄筋７８、７８、…は１本の鉄筋から２箇所が折り曲げられて略コの字形に形成されていると共にさらに両先端部近傍において内側に折り曲げられて爪状８０、８０に形成されている。このような複数本の第１、２の鉄筋７７、７８、…が、並行に配置された２本以上の棒状鉄筋７９、７９、…に沿って、所定の間隔を空けて設けられ、溶接によって棒状鉄筋７９、７９、…に固着されている。従って、かご体７１の開口部に網体７２が入れられると、第２の鉄筋７８、７８、…の爪状の部分８０、８０によって網体７２が支持されるようになっている。網体７２が支持されるので、かご体７１と網体７２の溶接は容易になっている。
【発明の概要】
【発明が解決しようとする課題】
【０００６】
従来の鉄筋かご５５によっても、消雪用ブロック５０を製造できるので、消雪用ブロックとしては格別に問題はない。しかしながら解決すべき問題も見受けられる。従来の鉄筋かご５５において、かご体５６と網体５７とを溶接によって一体化するとき、網体５７を支持しないと網体５７は落下してしまう。あるいは図６の（ウ）に示されているように斜めになってしまう。従って溶接によって一体化するときには、網体５７の一方と他方の端部を、アシスタント作業者によって支えてもらって網体５７を固定した状態で実施している。そうすると溶接作業者以外にアシスタント作業者が格別に２名必要になり、製造コストが嵩んでしまう。あるいは網体５７を支持する特別な治具を用意すれば、アシスタント作業者がいなくても溶接時に網体５７を支持することはできそうである。しかしながら治具が格別に必要であるという問題もあるし、溶接前に治具を設置し、溶接後に治具を取り外すようにする必要があり、作業が繁雑である。
【０００７】
一方、特許文献２に記載の鉄筋かご７０の場合には、網体７２はかご体７１の開口部近傍において支持されるようになっているので、溶接は容易である。これによって格段に製造コストが小さくなっている。しかしながら、さらに工夫すべき点も見受けられる。すなわち特許文献２に記載の鉄筋かご７０を製造する場合には、網体７２にかご体７１を載せて溶接するときに、図７の（イ）の符号８２、８３で示されている箇所をいずれも溶接しなければならない。つまり作業員は一方の符号８２、８２、…で示されている箇所を溶接した後に、かご体７１の反対側に回り込んで符号８３、８３、…で示されている箇所を溶接しなければならない。そうすると作業効率は十分に高いとは言えず、製造コストをさらに小さくする余地が見受けられる。
【０００８】
本発明は、上記したような従来の問題を解決した、消雪用ブロックを製造する鉄筋かごを提供することを目的としており、具体的には、格別に治具を必要としないにも拘わらず、製造時の作業が容易で製造コストが小さい消雪用ブロックの製造用の鉄筋かごを提供することを目的としている。
【課題を解決するための手段】
【０００９】
本発明は、上記目的を達成するために、路面に敷設される消雪用ブロックを製造する鉄筋かごとして構成される。消雪用ブロックは直方体状を呈し、直方体状の鉄筋かごの内部に設通水管が設けられこの通水管に複数個の散水ノズルが接続されている。従って路面に敷設されると散水ノズルから散水された水によって路面を融雪することができる。この鉄筋かごは、上部が開口したたかご体と、平板状に形成された網体とから構成し、かご体の開口部を網体で閉鎖して溶接すると得られるようになっている。本発明においてはかご体の開口部近傍には、網体の一部、すなわち網体を構成している１本の鉄筋が入れられる所定の隙間を形成する。これによってかご体のこの隙間に網体の一本の鉄筋を入れると、網体の一方の端部が蝶番のように作用して網体がかご体の開口部に対して開閉させることができる。このようにして網体をかご体の開口部に被せると、網体の他方の端部をかご体に固着するだけで鉄筋かごが製造できる。
【００１０】
すなわち請求項１に記載の発明は、細長い直方体状を呈し、路面に敷設されるとき露出する上面に複数個の散水ノズルが埋め込まれ、内部に設けられている通水管から供給される水が前記散水ノズルから散水されて前記路面上の雪を融雪するようになっている消雪用ブロックの、該ブロック製造用の鉄筋かごであって、鉄筋かごは、底部と一対の壁部とから略直方体状を呈するようにかつ上部が開口するように形成されたかご体と、平板状に形成された網体とからなり、前記かご体に前記散水ノズルを備えた前記通水管を入れ、前記かご体の開口部を前記網体によって閉鎖し、前記かご体と前記網体とを溶接により固着し、あるいは結束線によって結束することによって一体化し、そしてコンクリートを打設すると消雪用ブロックが製造されるようになっており、前記かご体は、直線状の複数本の棒状鉄筋と所定形状に折り曲げられた複数本の第１の鉄筋と同様に所定形状に折り曲げられた複数本の第２の鉄筋とからなり、前記棒状鉄筋が並行に配置され、そして前記棒状鉄筋に沿って所定の間隔を空けて前記第１、２の鉄筋が配置され、溶接によって前記棒状鉄筋に固着されるようにして形成されており、前記第１、２の鉄筋は、少なくとも３箇所において折り曲げられ、それによって互いに接続されている第１〜４の直線部分を備え、前記第１の直線部分は前記かご体の前記開口部の一部に、前記第２の直線部分は一方の前記壁部に、前記第３の直線部分は前記底部に、前記第４の直線部分は他方の前記壁部にそれぞれ対応しており、前記第２の鉄筋は前記第２の直線部分が前記第１の鉄筋の前記第２の直線部分より、鉄筋の略直径分だけ短くなっており、それによって前記かご体を長手方向に視たときに前記第１の鉄筋の前記第１の直線部分と前記第２の鉄筋の前記第１の直線部分との間に隙間が形成され、前記網体を構成している一本の鉄筋が前記隙間に入れられるようになっていることを特徴とする、消雪用ブロック製造用の鉄筋かごとして構成される。
請求項２に記載の発明は、請求項１に記載の鉄筋かごにおいて、前記第１、２の鉄筋は４箇所において折り曲げられ、それによって互いに接続されている前記第１〜４の直線部分と第５の直線部分とを備え、前記第５の直線部分は前記かご体の前記開口部の一部に対応しており、前記かご体において、前記第１、２の鉄筋を前記第４の直線部分と前記第５の直線部分の接続点において固着している棒状鉄筋を備えていることを特徴とする消雪用ブロック製造用の鉄筋かごとして構成される。
【発明の効果】
【００１１】
以上のように、本発明によると、細長い直方体状を呈し、路面に敷設されるとき露出する上面に複数個の散水ノズルが埋め込まれ、内部に設けられている通水管から供給される水が散水ノズルから散水されて路面上の雪を融雪するようになっている消雪用ブロックの、該ブロック製造用の鉄筋かごとして構成されている。つまり本発明は、一般的な消雪用ブロックを対象として、その製造用の鉄鋼かごということができる。すなわち実質的にほとんどの消雪用ブロックに対応している。そして、鉄筋かごは、かご体と、平板状の網体とから構成され、かご体の開口部を閉鎖し、かご体と網体とを溶接により固着しれば得られる。そして本発明によると、かご体は、直線状の複数本の棒状鉄筋と所定形状に折り曲げられた複数本の第１の鉄筋と同様に所定形状に折り曲げられた複数本の第２の鉄筋とからなり、棒状鉄筋が並行に配置され、そして棒状鉄筋に沿って所定の間隔を空けて第１、２の鉄筋が配置され、溶接によって棒状鉄筋に固着されるようにして形成されている。かご体は、底部と一対の壁部とから略直方体状を呈し、上部は開口しているが、第１、２の鉄筋は、少なくとも３箇所において折り曲げられ、それによって互いに接続されている第１〜４の直線部分を備え、第１の直線部分はかご体の開口部の一部に、第２の直線部分は一方の壁部に、第３の直線部分は底部に、第４の直線部分は他方の壁部にそれぞれ対応している。そして第２の鉄筋は第２の直線部分が第１の鉄筋の第２の直線部分より、鉄筋の略直径分だけ短くなっており、それによってかご体を長手方向に視たときに第１の鉄筋の第１の直線部分と第２の鉄筋の第１の直線部分との間に隙間が形成され、網体を構成している一本の鉄筋が隙間に入れられるようになっている。つまり本発明に係るかご体には開口部近傍に隙間が形成され、網体の一部の鉄筋をこの隙間に入れられるようになっている。この隙間に網体の一部の鉄筋を入れる、網体は一方の端部を蝶番のようにしてかご体の開口部に対して開閉されることになる。そうすると開口部を閉鎖するように網体を閉じ、網体の他方の端部をかご体に対して溶接すると鉄筋かごが形成されることになる。そうするとアシスタント作業者がいなくても、あるいは特別な治具がなくても、溶接作業者一人だけでかご体と網体とを溶接によって固定して鉄筋かごを得ることができるし、かご体への網体の溶接は一方の端部だけ実施すればいいので作業効率が高い。従って、消雪用ブロックの製造コストが小さくなる。
【図面の簡単な説明】
【００１２】
【図１】本発明の実施の形態に係る消雪用ブロックの鉄筋かごを模式的に示す図で、その（ア）、（イ）は鉄筋かごを構成している第１、２の鉄筋を示す平面図、その（ウ）は鉄筋かごのかご体と網体とを示す斜視図、その（エ）は、かご体と網体を長手方向から視た側面図である。
【図２】本発明の実施の形態に係る消雪用ブロックの鉄筋かごの製造方法を模式的に示す図で、その（ア）〜（エ）は各製造段階を示す側面図である。
【図３】本発明の第２の実施の形態に係る消雪用ブロックの鉄筋かごを模式的に示す図で、その（ア）は鉄筋かごを構成している第１、２の鉄筋を示す平面図、その（イ）は、かご体を長手方向から視た側面図である。
【図４】本発明の他の実施の形態に係る消雪用ブロックの一部を示す上面図である。
【図５】従来の消雪用ブロックを示す斜視図である。
【図６】従来の消雪用ブロックの製造方法を模式的に示す図で、その（ア）は鉄筋かごのかご体と網体と、通水管とを示す斜視図、その（イ）、（ウ）は、かご体に通水管を入れて網体を載せた状態を示す側面図である。
【図７】従来の他の消雪用ブロックの製造方法を示す図で、その（ア）は鉄筋かごのかご体と網体とを示す斜視図、その（イ）はかご体に通水管を入れて網体を載せた状態を示す側面図である。
【発明を実施するための形態】
【００１３】
以下、本発明の実施の形態に係る消雪用ブロックを製造するための鉄筋かご１について説明する。本実施の形態に係る鉄筋かご１も、従来の消雪用ブロック製造用の鉄筋かごと同様に、図１の（ウ）に示されているように、かご体２と、網体３とから構成されている。図に示されているかご体２と網体３は長手方向に比較的短く形成されているが、製造する消雪用ブロックの長さに応じて、長手方向の長さは適宜設計される。
【００１４】
本実施の形態においてかご体２は、図１の（ウ）に示されているように、底部１７と一方の壁部１８と他方の壁部１９とから上部が開口した直方体状を呈している。この開口部は、一方と他方の壁部１８、１９の上端から内側に伸びた鉄筋によって一部が閉鎖されたようになっている。従って開口部の幅は底部１７よりも幅が狭い。このようなかご体２は、４箇所において略直角に折り曲げられた複数本の第１の鉄筋５、５、…と、同様に４箇所において略直角に折り曲げられた複数本の第２の鉄筋６、６、…と、複数本の直線状の棒状鉄筋８、８、…とから構成されている。具体的には、４本の並行に配置された棒状鉄筋８、８、…に対して、これらに沿って等間隔に、かつこれらと直角になるように第１、２の鉄筋５、６、…が設けられ、互いに溶接によって固着されている。なお、かご体２の他の壁部１９の開口部近傍にも１本の棒状鉄筋８が固着されている。
【００１５】
第１、２の鉄筋５、６を詳しく説明すると、これらは、図１の（ア）、（イ）に示されているように、４箇所が折り曲げられることによって第１〜５の直線部分１１、１２、…を備えている。第１の直線部分１１はかご体の開口部の一部に、第２の直線部分１２は一方の壁部１８に、第３の直線部分１３は底部１７に、第４の直線部分は他方の壁部１９に、そして第５の直線部分１５は開口部の一部に、にそれぞれ対応している。
【００１６】
ところで本実施の形態においては、第１の鉄筋５と第２の鉄筋６は、一部が相違している。すなわち第１の鉄筋５においては第２、４の直線部分１２、１４は長さが等しいのに対して、第２の鉄筋６においては第２の直線部分１２が第４の直線部分１４より短い。第１、２の鉄筋５、６で比較すると、第２の鉄筋６の第２の直線部分１４は、第１の鉄筋５の第２の直線部分１４より鉄筋の略直径分だけ短い。このように鉄筋の略直径分だけ長さが相違しているので、図１の（エ）に示されているように、かご体２において第１、２の鉄筋５、６のそれぞれの第１の直線部分１１、１１には段差が形成され、この段差によって隙間２１が形成されることになる。この隙間２１に、次に説明する網体１３の棒状鉄筋が入れられることになり、そうすると網体１３が隙間２１に入れられた棒状鉄筋を中心として回動し、蝶番状に開閉させることができる。なお、かご体２を構成している５本の棒状鉄筋８、８、…のうち、１本の棒状鉄筋８は第２、３の直線部分１２、１３の接続点に、１本の棒状鉄筋８は第３、４の直線部分１３、１４の接続点に、１本の棒状鉄筋８は第４、５の直線部分１４、１５の接続点に固着されている。この第４、５の直線部分１４、１５の接続点に固着されている棒状鉄筋８は、蝶番状に開閉されるようになっている網体１３を閉じたときに網体１３を支持するようになっている。
【００１７】
網体３は、本実施の形態においては３本の長い棒状鉄筋２２、２２、…と、短い短鉄筋２３、２３、…とからなり、溶接によって互いに固着されている。棒状鉄筋２２、２２、…は並行に配置され、これらに沿って等間隔に、かつこれらと直交するように短鉄筋２３、２３、…が設けられている。本実施の形態においては、短鉄筋２３、２３、…の一方の端部近傍には１本の棒状鉄筋２２溶接され、この棒状鉄筋２２が、かご体２に形成されている隙間２１に入れられることになるが、短鉄筋２３、２３、…の他方の端部近傍には棒状鉄筋は設けられていない。
【００１８】
本実施の形態に係る消雪用ブロックの製造方法を説明する。本実施の形態に係るかご体２を、図２の（ア）に示されているようにその開口部を上にして設置し、開口部から散水ノズル２６を備えた通水管２７を入れる。次に、図２の（イ）に示されているように、かご体２の隙間２１に、網体３を構成している１本の棒状鉄筋２２を入れるようにしてかご体２と網体３とを結合する。そうすると、図２の（ウ）に示されているように、この棒状鉄筋２２を中心に網体３は回動できるようになる。つまり棒状鉄筋２２を中心にして蝶番状に網体３を開閉できるようになる。網体３を回動させてかご体２の開口部を閉鎖する。そうすると図２の（エ）に示されているように、網体３の短鉄筋２３、２３、…がかご体３を構成している１本の棒状鉄筋８に当接する。あるいは網体３の端部が棒状鉄筋８に支持される。この部分が符号２５で示されている。符号２５で示されている部分を溶接により固着する。あるいは結束線によって結束する。鉄筋かご１が得られる。得られた鉄筋かご１に、次いでこれらを所定の型枠に入れてコンクリートを打設する。固化を待って型枠から取り出すと消雪用ブロックが得られる。本実施の形態に係る鉄筋かご１は、かご体２と網体３とから製造するとき、符号２５の箇所の棒状鉄筋８と短鉄筋２３、２３、…を固着するだけでよく、隙間２１に入れられた棒状鉄筋２２は固着する必要がない。従って効率よく製造できる。
【００１９】
本実施の形態に係る消雪用ブロックの鉄筋かごは、色々な変形が可能である。例えば、図３に示されているように、第１、２の鉄筋５’、６’を変形することも可能である。この実施の形態においては第１、２の鉄筋５’、６’は３箇所だけ折り曲げられて第１〜４の直線部分１１’、１２’、…を備えているが、第５の直線部分はない。このような第１、２の鉄筋５’、６’、…からかご体２’を形成しても、隙間２１’に網体３の棒状鉄筋を入れることができるので、同様に鉄筋かご１を製造することができる。また、第１、２の鉄筋５’、６’は略直角に折り曲げられているように説明しているが、例えば折り曲げ角度は８０〜１００度のようにしてもよい。そうすると、例えば側面形状が台形状の鉄筋かごが得られる。
【００２０】
また本実施の形態に係る消雪用ブロックの鉄筋かごについては、かご体２を構成している第１、２の鉄筋５、６は等間隔に配置されているように説明したが、必ずしも等間隔に配置する必要はない。図４には他の実施の形態に係る鉄筋かごの一部が上から見た状態で示されているが、第１、２の鉄筋５、５’、６、…は、所定の目的によって間隔が異なるように配置されている。詳しく説明すると、図４において左から１番目の第１の鉄筋５と、その右の第１の鉄筋５’の間隔は短く、この第１の鉄筋５’とその右の第２の鉄筋６の間隔は長く、この第２の鉄筋６と右端の第１の鉄筋５の間隔は中くらいの間隔になるように配置されている。このようにすると、かご体の開口部を網体３で閉鎖するように閉じたときに、第１、２の鉄筋５、５’、６、…と網体３を構成している短鉄筋２３、２３、…との位置関係が場所によって変わることになる。具体的には、図４において左から１番目の短鉄筋２３は第１の鉄筋５の左隣に配置され、左から２番目の短鉄筋２３は第１の鉄筋５’の右隣に配置され、左から３番目、４番目の短鉄筋２３、２３は、それぞれ第２の鉄筋６、第１の鉄筋５の左隣に配置される。このように配置されているので、かご体に対して網体３は左右方向にずれない。そうするとさらに溶接が容易になる。
【符号の説明】
【００２１】
１    鉄筋かご                    ２    かご体
３    網体                        ５    第１の鉄筋
６    第２の鉄筋                  ８    棒状鉄筋
１１〜１５  第１〜第５の直線部分
１７    底部                      １８    一方の壁部
１９    他方の壁部                ２１    隙間
２２    棒状鉄筋                  ２３    短鉄筋
２６    散水ノズル                ２７    通水管
【要約】
【課題】
製造が容易でコストが小さい消雪用ブロックの製造用の鉄筋かごを提供する。
【解決手段】路面に敷設される消雪用ブロックを製造する鉄筋かご（１）として構成する。鉄筋かご（１）は、上部が開口したたかご体（２）と、この開口部を閉鎖して溶接する平板状の網体（３）とから構成する。かご体（２）の開口部近傍には、網体（３）を構成している１本の鉄筋（２２）が入れられる所定の隙間（２１）を形成する。これによってかご体（２）の隙間（２１）に網体（２３）の一本の鉄筋（２２）を入れると、網体（３）が蝶番状にかご体（２）に対して開閉させることができる。網体（３）をかご体（３）の開口部に被せて固着すると鉄筋かご（１）が製造できる。
【選択図】図１【図１】
0005390042.tif 000002
【図２】
0005390042.tif 000003
【図３】
0005390042.tif 000004
【図４】
0005390042.tif 000005
【図５】
0005390042.tif 000006
【図６】
0005390042.tif 000007
【図７】
0005390042.tif 000008